【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
内周面を有するシールカバーと前記シールカバーの前記内周面内に配置された回転軸との間の被密封流体をシールするメカニカルシール装置であって、外周面が前記シールカバーの前記内周面に移動自在に嵌合するとともに、内周面が前記回転軸に遊合し、且つ被密封流体側の端部にシール面を有する耐酸硬質材製の密封環と、前記密封環と対向に配置されてシール面と密接可能な対向シール面を有するとともに、前記対向シール面側の内周に嵌合内周面を有し、且つ被密封流体側に前記回転軸と嵌合可能な貫通孔を有する耐酸硬質材製の相対回転密封環と、前記相対回転密封環の前記嵌合内周面に一端の外周部が一体に結合するとともに、内周の嵌合嵌着面が前記回転軸と密封に嵌着して前記外周部と反対側に前記回転軸と固定する取付部を有するスリーブを具備し、前記密封環が押圧されて前記シール面と前記対向シール面とが密接することを特徴とするメカニカルシール装置。
【請求項２】
前記スリーブの外周面と前記シールカバーの大気側の内周面との間をシールするシール部を有するとともに、前記シール部と前記密封環と前記相対回転密封環との間の前記シールカバー内に内周室を有し、前記内周室に流体を注入させることを特徴とする請求項１に記載のメカニカルシール装置。
【請求項３】
前記密封環の前記シール面は内周室内に配置されたスプリング又は内周室内の流体により前記対向シール面へ押圧されることを特徴とする請求項１又は請求項２に記載のメカニカルシール装置。
【手続補正２】
【補正対象書類名】明細書
【補正対象項目名】００１４
【補正方法】変更
【補正の内容】
【００１４】
請求項１に係わる本発明のメカニカルシール装置は、内周面を有するシールカバーとシールカバーの内周面内に配置された回転軸との間の被密封流体をシールするメカニカルシール装置であって、外周面がシールカバーの内周面に移動自在に嵌合するとともに、内周面が回転軸に遊合し、且つ被密封流体側の端部にシール面を有する耐酸で硬質材製の密封環と、密封環と対向に配置されてシール面と密接可能な対向シール面を有するとともに、対向シール面側の内周に嵌合内周面を有し、且つ被密封流体側に回転軸と嵌合可能な貫通孔を有する耐酸で硬質材製の相対回転密封環と、相対回転密封環の嵌合内周面に一端の外周部が一体に結合するとともに、内周の嵌合嵌着面が回転軸と密封に嵌着して外周部と反対側に回転軸と固定可能な取付部を有するスリーブを具備し、密封環が押圧されてシール面と対向シール面とが密接するものである。
【手続補正３】
【補正対象書類名】明細書
【補正対象項目名】００１５
【補正方法】変更
【補正の内容】
【００１５】
この請求項１に係わる本発明のメカニカルシール装置では、耐酸性で硬質材製の相対回転密封環における被密封流体外の嵌合内周面にスリーブの外周部が嵌着して固定されているから、相対回転密封環に覆われて被密封流体と接触しないスリーブは、スラリー液の被密封流体により、酸化されたり、研磨されて摩耗したり、高粘度の液体が付着して不具合になるのを効果的に防止できる。その結果、スリーブが摩耗して又は高粘度の液体が付着して相対回転密封環のシール面の面圧が低下するのを効果的に防止できる。そして、高粘度の被密封流体或いは金属粉等の不純物が含有する被密封流体を処理する機械に適用して被密封流体をシールすることが可能になる。更に、スリーブの外周部に密封に嵌合している相対回転密封環は、被密封流体の圧力により離脱しないように保持されているから、相対回転密封環がスリーブの外周部から離脱するのが防止できる。このためにメカニカルシール装置の構造を小型にすると共に、その組立を容易にすることが可能になる。
【手続補正４】
【補正対象書類名】明細書
【補正対象項目名】００１７
【補正方法】変更
【補正の内容】
【００１７】
請求項２に係わる本発明のメカニカルシール装置は、スリーブの外周面とシールカバーの大気側の内周面との間をシールするシール部を有するとともに、シール部と密封環と相対回転密封環との間のシールカバー内に内周室を有し、内周室に流体を注入させるものである。
【手続補正５】
【補正対象書類名】明細書
【補正対象項目名】００１８
【補正方法】変更
【補正の内容】
【００１８】
この請求項２に係わる本発明のメカニカルシール装置では、シールカバーの内周室内に清水等の流体を注入しているので、スラリーなどの被密封流体がシール面間から内周室内に侵入してシールカバーの内周面、スリーブの外周面、スプリングの巻き線間などに付着して密封環の作動不良を惹起するが防止できる。また、密封環のシール面と相対回転密封環の対向シール面における摺動時の発熱を防止できる効果を奏する。さらに、注入した流体により密封環を相対回転密封環へ押圧することが可能になる。
【手続補正６】
【補正対象書類名】明細書
【補正対象項目名】００１９
【補正方法】変更
【補正の内容】
【００１９】
請求項３に係わる本発明のメカニカルシール装置は、密封環のシール面は内周室内に配置されたスプリング又は内周室内の流体により対向シール面へ押圧されるものである。
【手続補正７】
【補正対象書類名】明細書
【補正対象項目名】００２０
【補正方法】変更
【補正の内容】
【００２０】
この請求項３に係わる本発明のメカニカルシール装置では、密封環を弾性的に押圧するスプリングを密封環と相対回転密封環とにより囲まれた被密封流体に接触しないシールカバー側に配置されているので、酸化液体又は高粘度の被密封流体或いは金属粉、鉱石粉等が含まれるスラリー液の被密封流体であっても、スプリングが被密封流体により腐食させられたり、研磨されて摩耗させられたりすることが無く、スプリングの機能を発揮してシール能力を発揮することが可能になる。しかも、スプリングのシールカバー内の内装は、メカニカルシール装置全体を小型にする効果がある。
【手続補正８】
【補正対象書類名】明細書
【補正対象項目名】００２８
【補正方法】変更
【補正の内容】
【００２８】
この相対回転密封環３を保持するスリーブ５は、被密封流体側Ａの端部にフランジ状の外周部５Ａが形成している。この外周部５Ａは相対回転密封環３の嵌合内周面３Ｄに嵌合するように形成されている。又、スリーブ５の内周には回転軸６０と嵌着する内周嵌着面５Ｂが形成されている。更に、外周部５Ａの先端面には、ノックピン１４が打ち込まれて固定している。このスリーブ５は、他端の厚肉部（取付部とも言う）５Ｃに貫通孔が形成されている。そして、この厚肉部５Ｃに保持リング６が嵌着している。この保持リング６には雌ねじ６Ａが貫通しており、この雌ねじ６Ａに止めねじ７が螺合して貫通孔を通り回転軸６０の円錐穴に係止している。
【手続補正９】
【補正対象書類名】明細書
【補正対象項目名】００３０
【補正方法】変更
【補正の内容】
【００３０】
更に、シールカバー５０の大気側Ｂの内周面とスリーブ５との間にはオイルシール（シール部とも言う）１８が設けられており、このオイルシール１８によりシールカバー５０の内周室５１を密封している。スリーブ５のオイルシール１８と密接する周面は、硬質表面処理により硬質層１９に形成されている。
【手続補正１０】
【補正対象書類名】明細書
【補正対象項目名】００３８
【補正方法】変更
【補正の内容】
【００３８】
請求項２に係わる本発明のメカニカルシール装置によれば、シールカバーの内周室内に清水等の流体を注入しているので、スラリーなどの被密封流体がシール面間から内周室内に侵入してシールカバーの内周面、スリーブの外周面、スプリングの巻き線間などに付着して密封環の作動不良を惹起するが防止できる。また、密封環のシール面と相対回転密封環の対向シール面における摺動時の発熱を防止できる効果を奏する。さらに、注入した流体により密封環を相対回転密封環へ押圧することが可能になる。
【手続補正１１】
【補正対象書類名】明細書
【補正対象項目名】００３９
【補正方法】変更
【補正の内容】
【００３９】
請求項３に係わる本発明のメカニカルシール装置によれば、密封環を弾性的に押圧するスプリングを密封環と相対回転密封環とにより囲まれた被密封流体に接触しないシールカバー側に配置されているので、酸化液体又は高粘度の被密封流体或いは金属粉、鉱石粉等が含まれるスラリー液の被密封流体であっても、スプリングが被密封流体により腐食させられたり、研磨されて摩耗させられたりすることが無く、スプリングの機能を発揮してシール能力を発揮することが可能になる。しかも、スプリングのシールカバー内の内装は、メカニカルシール装置全体を小型にする効果がある。